(57)【特許請求の範囲】
【請求項１】
シートベースにリール脚保持用の一対のフードを設け、少なくとも一方のフードを前記シートベースの軸芯方向に移動自在に装着される可動フードに構成してあるリールシートであって、
前記可動フードの周壁に、リール脚を挿入する開口縁から基端部に向けて切り込みを設けて、前記可動フードの軸芯に平行で、その軸芯に沿った長さが長く、一定幅の長尺の前記櫛歯状を呈する櫛歯部分を形成するとともに、前記シートベースの外周面に、前記シートベースの軸芯に平行で、その軸芯に沿った長さが長く、かつ、円周方向に沿った幅が、前記櫛歯部分を誘導する一定幅の長尺状の係合溝部を凹入形成し、前記櫛歯部分を前記係合溝部内に係入し前記可動フードの移動に伴ってその係合溝部内で案内移動すべく構成してあるリールシート。
【請求項２】
前記係合溝部に係入した前記櫛歯部分の表面が、前記シートベースにおける外周面と面一状態に構成してある請求項１記載のリールシート。
【請求項３】
前記シートベースの外周面に前記係合溝部を複数個形成し、その複数個の係合溝部に夫々係合する前記櫛歯部分を前記可動フードに複数個形成し、前記櫛歯部分の前記軸芯に沿った長さを、リール脚載置部から円周方向に離れるものほど長く形成してある請求項１又は２記載のリールシート。
【発明の詳細な説明】
【技術分野】
【０００１】
本発明は、シートベースにリール脚保持用の一対のフードを設け、少なくとも一方のフードを前記シートベースの軸芯方向に移動自在に装着される可動フードに構成してあるリールシートに関する。
【背景技術】
【０００２】
リールシートとしては、竿体の所定箇所に装着されたシートベースとしてのリールシート（公報内番号：２）に、フード部としての移動フード（公報内番号：３）とフード部としての固定フード（公報内番号：５）を備えるとともに、シートベースに形成した螺子部（公報内番号：２ａ）にナット（公報内番号：４）を螺着して、ナットを螺進移動させることによって、移動フードをリールシートの軸線方向にスライド移動可能に構成するものがある（特許文献１）。
【特許文献１】実開平７−６１号公報（段落〔０００８〕，図１）
【発明の開示】
【発明が解決しようとする課題】
【０００３】
上記構成にあっては、移動フード及び固定フード共に、リール脚を収納する大径膨出部を備えており、この大径膨出部の大きな径で円筒状に形成されているので、その大径膨出部分が全周に亘って、シートベースより外側に突出する状態となっている。
したがって、シートベースの外周面と大径膨出部の外周面との間には、大きな段差部分が形成されている。このために、実際の釣り操作時において、リール脚部とリールシートとを伴握りする場合には、手指がこの段差部に掛かることとなり、手が圧迫感を受け、長時間の使用で痛くなる等の不都合を生ずるものであった。
【０００４】
本発明の目的は、可動フードとシートベースとの段差部分を出来るだけ解消し、リール脚部とリールシートとを伴握りする場合であっても、手が圧迫感を受け、長時間の使用で痛くなる等の不都合を解消することが可能なリールシートを提供する点にある。
【課題を解決するための手段】
【０００５】
〔構成〕
請求項１に係る発明の特徴構成は、前記可動フードの周壁に、リール脚を挿入する開口縁から基端部に向けて切り込みを設けて、前記可動フードの軸芯に平行で、その軸芯に沿った長さが長く、一定幅の長尺の前記櫛歯状を呈する櫛歯部分を形成するとともに、前記シートベースの外周面に、前記シートベースの軸芯に平行で、その軸芯に沿った長さが長く、かつ、円周方向に沿った幅が、前記櫛歯部分を誘導する一定幅の長尺状の係合溝部を凹入形成し、前記櫛歯部分を前記係合溝部内に係入し前記可動フードの移動に伴ってその係合溝部内を案内移動すべく構成してある点にあり、その作用効果は次の通りである。
【０００６】
〔作用〕
可動フードの周壁を櫛歯状に形成し、その櫛歯部分をシートベースに凹入形成した係合溝部に係入させる構成によって、櫛歯部分を係合溝部内に沈み込み状態で係入させることができるので、櫛歯部分の外周面とシートベースの外周面、つまり、可動フードの周壁とシートベースの外周面との段差を少なくすることができた。
【０００７】
〔効果〕
これによって、釣り操作時にリール脚部とリールシートとを伴握りする場合であっても、手が圧迫感を受け難く、長時間の使用で痛くなる等の不都合を緩和できる。
【０００８】
〔構成〕
請求項２に係る発明の特徴構成は、請求項１に係る発明において、前記係合溝部に係入した前記櫛歯部分の表面が、前記シートベースにおける外周面と面一状態に構成してある点にあり、その作用効果は次の通りである。
【０００９】
〔作用効果〕
櫛歯部分の表面が、前記シートベースにおける外周面との段差が解消されているので、釣り操作時にリール脚部とリールシートとを伴握りする場合であっても、従来のように、手を圧迫するようなことがなく、リール脚部とリールシートとを伴握りする手指の負担を軽減できる。
【００１０】
〔構成〕
請求項３に係る発明の特徴構成は、請求項１又は２記載のリールシートにおいて、前記シートベースの外周面に前記係合溝部を複数個形成し、その複数個の係合溝部に夫々係合する前記櫛歯部分を前記可動フードに複数個形成し、前記櫛歯部分の前記軸芯に沿った長さを、リール脚載置部から円周方向に離れるものほど長く形成してある点にあり、その作用効果は次の通りである。
【００１１】
〔作用効果〕
手を痛くすることや圧迫することがなく、握り易いリールシートを備えているので、仕掛けの投入や魚の引き抜き操作に違和感を感じる事が少ない釣り竿を提供できるに至った。
【発明を実施するための最良の形態】
【００１２】
釣り竿Ａは、図１及び図２に示すように、元竿１の所定位置にリールシート２を装着して、構成してある。リールシート２は、竿先側に位置する固定フード３と、固定フード３を一体で形成してあるシートベース４と、固定フード３より竿元側に配置される可動フード５、可動フード５を駆動移動させるナット体６とを装備して構成してある。固定フード３と可動フード５とで、リール脚７を保持する。
【００１３】
シートベース４の可動フード５の装着位置より竿元側には、可動フード５の装着位置より小径のネジ部４Ａが形成してあり、ナット体６を螺着してある。
図３に示すように、可動フード５とナット体６とは、可動フード５の元側係合縁５ａをナット体６の先側環状溝６ａに係合させて、ナット体６の回転を許しながら、可動フード５の回転を阻止できる構成を採っている。
【００１４】
可動フード５とシートベース４との構成について説明する。
図２に示すように、シートベース４にリール脚載置部４ａを有するベース本体部４Ｂに、ネジ部４Ａとの接続部分から竿先側（相手側フードとしての固定フード）に向けて、係合溝部４Ｃを凹入形成してある。係合溝部４Ｃは、図５に示すように、円周方向５箇所に設けてあり、溝部の深さは可動フード５の板圧に相当する薄いものであり、かつ、一定の円周方向に沿った幅を有するものである。
尚、可動フード５のリール脚７の後脚部７Ｂを収納保持する膨出部５Ｃ及び固定フード３のリール前脚部７Ａを収納保持する膨出部３Ａには、内側面にスポンジ等の弾性部材５ｄ、３ｄが接着固定してあり、リール前後脚部７Ａ、７Ｂの保持を良好に行い得るようになっている。
【００１５】
図２及び図４に示すように、可動フード５には、周壁に６本の切欠き溝５ｂを形成して、切欠き溝５ｂの間に５本の櫛歯部分５Ａを形成してある。図５に示すように、櫛歯部分５Ａは、可動フード５をシートベース４に装着する際に係合溝部４Ｃ内に嵌め込み装着され、可動フード５が竿軸線に沿った方向に移動するのを誘導する。櫛歯部分５Ａの板厚は係合溝部４Ｃの深さに等しく、櫛歯部分５Ａが係合溝部４Ｃに係入した状態で、櫛歯部分５Ａの表面が、シートベース４における外周面と面一状態となる。これによって、前記したように、櫛歯部分５Ａの表面が、シートベース４における外周面との段差が解消されているので、釣り操作時にリール脚７とリールシート２とを伴握りする場合であっても、従来のように、手を圧迫するようなことがなく、リール脚７とリールシート２とを伴握りする手指の負担を軽減できる。
【００１６】
図１に示すように、係合溝部４Ｃはシートベース４において、櫛歯部分５Ａの全長に比べて長く形成してある。これは、リールの前後脚部７Ａ、７Ｂの長さがリール仕様によって異なることに対応させたものであり、リールの前後脚部７Ａ、７Ｂの長さによっては、図１に示すように、両フード３、５でリールの前後脚部７Ａ、７Ｂを保持した状態で、櫛歯部分５Ａの先端５ｃは、係合溝部４Ｃの先端４ｃには達していない。したがって、係合溝部４Ｃの先端４ｃと櫛歯部分５Ａの先端５ｃとの間には、間隙が形成される。確かに、この間隙部分に手指が接触することがあるが、この部分は周縁部が同一平面上に形成されており、間隙部分も手指が落ち込む程の大きなものとはならないので、握った状態で手指が圧迫を受けることはない。
【００１７】
〔別実施形態〕
（１）  フードの構成としては、一対のフードがいずれも可動フードであってもよい。
（２）  係合溝部４Ｃとしては、円周方向において二つ以上であればよい。また、その深さや溝幅は任意に採り得る。この係合溝部４Ｃに合わせて、この係合溝部４Ｃに係入する可動フード５の櫛歯部分５Ａの形状、個数等を選択すればよい。
（３）  可動フード５を構成するに、内側に熱可塑性樹脂等で内装体を形成し、その内装体の外面に金属製のカバー体を被嵌する構成を採ってもよい。このように金属での補強構造を採ることによって、櫛歯部分５Ａを形成することによる強度低下を抑制し得る。
【図面の簡単な説明】
【００１８】
【図１】可動フードの櫛歯部分をリールシートの係合溝部に係合させた状態を示す側面図
【図２】シートベースに可動フードを取り付ける前の状態を示す側面図
【図３】図1における縦断側面図
【図４】（ａ）シートベースに可動フードを取り付ける前の状態を示す斜視図、    （ｂ）シートベースに可動フードを取り付けた状態を示す斜視図
【図５】図３におけるＶ―Ｖ線断面図
【符号の説明】
【００１９】
３            固定フード（一対のフード）
４            シートベース
４Ｃ          係合溝部
４ａ リール脚載置部
５            可動フード
５Ａ          櫛歯部分
７ リール脚
【図１】
0005288451.tif 000002
【図２】
0005288451.tif 000003
【図３】
0005288451.tif 000004
【図４】
0005288451.tif 000005
【図５】
0005288451.tif 000006